(57)【要約】【課題】ホストコンピュータと磁気ディスク装置を接続する際に、物理的に接続される部分は安定した電力を供給するための電源ピンのみであり、データの転送には無線通信を用いたインターフェースを使用した無線ディスク記憶装置を提供する。【解決手段】ホストコンピュータ２００からのデータをディスク１１に記録またはディスク１１に記録されたデータをホストコンピュータ２００へ送信するディスク記憶装置１００において、ホストコンピュータ２００から電力供給を受けるための電力受信部２５と、この電力受信部２５とは別に設けられ、ホストコンピュータ２００へデータのみを無線で転送する無線用アンテナ２４とを具備することを特徴とする。【選択図】      図２
2005011458.tif 000002
【特許請求の範囲】
【請求項１】
ホストコンピュータからのデータをディスクに記録または前記ディスクに記録されたデータをホストコンピュータへ送信するディスク記憶装置において、
前記ホストコンピュータから電力供給を受けるための電力受信部と、
この電力受信部とは別に設けられ、前記ホストコンピュータへデータのみを無線で転送する無線用アンテナとを具備することを特徴とする無線ディスク記憶装置。
【請求項２】
ホストコンピュータからのデータをディスクに記録または前記ディスクに記録されたデータをホストコンピュータへ送信するディスク記憶装置において、
筐体と
この筐体内に設けられ、前記ディスクを支持し回転させる回転手段と、
この回転手段によって支持された前記ディスクの記録面と対向する前記筐体の面に配置され、前記ディスクに記録されたデータを前記ホストコンピュータに無線で転送する無線用アンテナとを具備することを特徴とする。
【請求項３】
前記電力受信部は、少なくとも１つ以上の電源ピンを備え、この電源ピンを介して電力が供給されることを特徴とする請求項１記載の無線ディスク記憶装置。
【請求項４】
前記無線用アンテナによって前記ホストコンピュータに転送される前記データは、コマンドデータも含むことを特徴とする請求項１乃至２のいずれかに記載の無線ディスク記憶装置。
【発明の詳細な説明】
【０００１】
【発明の属する技術分野】
この発明は、ホストコンピュータとデータ通信を行なう磁気ディスク装置に係わり、特に、ホストコンピュータとのインターフェースに用いるデータ通信部に無線を用いた磁気ディスク装置に関する。
【０００２】
【従来の技術】
電子機器とともに使用される磁気ディスク装置は、ホストコンピュータとの接続のために複数のピンが用いられている。さらに、これらのピンには磁気ディスク装置へ電力を供給するための電源ピン及びデータを転送するためのデータピンより構成されている。すなわち、磁気ディスク装置とホストコンピュータとの間では、物理的なコネクタを必要としている。
【０００３】
しかしながら、磁気ディスク装置とホストコンピュータとの間で物理的相互接続を行うことなくデータのやり取りを行う無線コネクタが現在提案されている（例えば、特許文献１参照）。この特許文献１の無線コネクタの特徴は、ＰＣカードとホスト装置の間に無線接続を提供するものであり、さらに容量性接続の形態で無線接続を提供しているものである。容量性接続による無線接続は、ホスト側に取り付けられた第一の導電プレートとＰＣカード側に取り付けられた第二のプレートが互いに協働したときに誘電体を有するコンデンサを形成することによって行われる。
【０００４】
【特許文献１】
特開平１１−５０９３５３号公報
【０００５】
【発明が解決しようとする課題】
磁気ディスク装置にとってホストコンピュータとのインターフェースは必要不可欠なものである。現在ホストコンピュータと磁気ディスク装置は複数の電源ピン及びデータピンにより接続がなされている。しかしながら、前述したような物理的な接続を用いた方法では小型化対しての限界がある。
【０００６】
また、特許文献１のように容量性接続による無線コネクタを用いた方法では、接合部分の面積及び誘電体が電力の供給とデータの転送に関して大きな役割を持つ。磁気ディスクのような機構部を持った装置に関しては、安定した電力供給が必要となり、そのため容量結合を用いた場合には接合部に大きな面積を要することとなる。したがって、コネクタさらには装置の小型化には不向きである。さらに常時電子機器に組み込まれている磁気ディスクに関しては、電力供給の際における電力損失は最低限に抑えることが望ましい。
【０００７】
そこで本発明は上記の問題を解決するためになされたものであり、ホストコンピュータと磁気ディスク装置を接続する際に、物理的に接続される部分は安定した電力を供給するための電源ピンのみであり、データの転送には無線通信を用いたインターフェースを使用したディスク記憶装置を提供することを目的とする。
【０００８】
【課題を解決するための手段】
この発明は、上記の目的を達成するために、ホストコンピュータからのデータをディスクに記録または前記ディスクに記録されたデータをホストコンピュータへ送信するディスク記憶装置において、前記ホストコンピュータから電力供給を受けるための電力受信部と、この電力受信部とは別に設けられ、前記ホストコンピュータへデータのみを無線で転送する無線用アンテナとを備えるようにしたものである。
【０００９】
上記のような構成によれば、ホストコンピュータとディスク記憶装置のデータ通信用コネクタに無線を用いることにより物理的な接合部が減り、コネクタの小型化が期待できる。
【００１０】
【発明の実施の形態】
以下、本発明を磁気ディスク装置に適用した実施の形態につき図面を参照して説明する。図１は本発明の一実施形態に係る磁気ディスク装置（ＨＤＤ）の構成を示すブロック図である。
【００１１】
図１において、ディスク（磁気ディスク媒体）１１の例えば上側のディスク面はデータが磁気記録される記録面をなしている。このディスク１１の記録面に対応してヘッド（磁気ヘッド）１２が配置されている。ヘッド１２は、ディスク１１へのデータ書き込み（データ記録）及びディスク１１からのデータ読み出し（データ再生）に用いられる。なお、ディスク１１の下側のディスク面も記録面をなし、その記録面に対応してヘッド１２と同様のヘッドが配置されているが一般的である。図１の構成では、単一枚のディスク１１を備えたＨＤＤ１００を想定している。しかし、ディスク１１が複数枚積層配置されたＨＤＤ１００であっても構わない。
【００１２】
ディスク１１の各記録面には、複数のサーボ領域１１０がディスク１１の半径方向に放射状に、且つディスク１１の円周方向に等間隔で離散的に配置されている。各サーボ領域１１０には、ヘッド１２のシーク・位置決め制御に必要な位置情報を含むサーボ情報が記録されている。隣接するサーボ領域１１０の間は、ユーザデータ領域となっており、当該データ領域にはデータセクタが複数個配置されている。また、ディスク１１の記録面には、同心円状の多数のトラック１１１が形成されている。
【００１３】
ディスク１１はスピンドルモータ（以下、ＳＰＭと称する）１３により高速に回転する。ヘッド１２はヘッド移動機構としてのアクチュエータ（キャリッジ）１４に取り付けられている。更に具体的に述べるならば、ヘッド１２はアクチュエータ１４のアーム１４０から延出したサスペンション１４１に取り付けられている。アクチュエータ１４は、基台として機能するＨＤＤ１００のケースの底壁上に固定された軸受け組み立て体１４２を有している。アーム１４０は、この軸受け組み立て体１４２から延出している。アクチュエータ１４はまた、アーム１４０とは反対方向に延出した例えばＶ字形状の支持フレーム１４３を有している。アクチュエータ１４は、軸受け組み立て体１４２を中心として回動自在である。これにより、アーム１４０を介してサスペンション１４１に支持されたヘッド１２は、アーム１４０及びサスペンション１４１と一体的に回動し、ディスク１１上の任意のトラック位置及び後述する退避位置へ、ディスク１１の半径方向に移動可能となっている。アクチュエータ１４は、当該アクチュエータ１４の駆動源となるボイスコイルモータ（以下、ＶＣＭと称する）１５を有しており、当該ＶＣＭ１５により駆動される。支持フレーム１４３には、ＶＣＭ１５の一部を構成するコイル（ＶＣＭコイル）が固定されている。
【００１４】
ディスク１１の外周側には、当該ディスク１１から外れた位置にランプ１６が配置されている。更に具体的に述べるならば、ランプ１６は、ディスク１１の外周に近接し、且つタブ１４４の移動経路上のディスク１１から外れた位置に配置される。ランプ１６は、ＨＤＤ１００が特定の非動作状態に移行する際に、ヘッド１２をディスク１１から離間した退避位置にアンロード（リトラクト）させておくのに用いられる。ここでランプ１６上には、ヘッド１２ではなくて、当該ヘッド１２を支持するアクチュエータ１４の先端部に形成されたタブ１４４が位置する。しかし、煩雑な表現を避けるため、ヘッド１２がランプ１６にアンロードされると表現することもある。ＨＤＤ１００の特定の非動作状態とは、ディスク１１の回転が停止している状態の他に、ディスク１１は回転していても一定期間以上ホストからのコマンドの発行（アクセス要求）がない状態も含むものとする。
【００１５】
図１のＨＤＤ１００では、アクチュエータ１４を駆動してヘッド１２をアンロードした際に、タブ１４４がランプ１６の所定位置で停止するように、アクチュエータ１４をラッチするためのラッチ機構が設けられている。このラッチ機構は、ＨＤＤのケースに支持されたマグネット１７と、アクチュエータ１４のＶ字形状支持フレーム１４３のうち、ディスク１１に近い側の一端に固定された、例えば鉄からなる磁性部材１４３ａとから構成される。マグネット１７は、タブ１４４がランプ１６のパーキング位置に到達した際に、支持フレーム１４３の一端に固定された磁性部材１４３ａが、当該マグネット１７と磁性部材１４３ａとの間に働く磁気吸引力により当該マグネット１７にラッチされる位置に配置されている。
【００１６】
ＳＰＭ１３及びＶＣＭ１５は、ドライバＩＣ１８からそれぞれ供給される駆動電流（ＳＰＭ電流及びＶＣＭ電流）により駆動される。
ヘッド１２は図示せぬＦＰＣ（フレキシブルプリントケーブル）に形成された配線パターンを介してヘッドＩＣ（ヘッドアンプ回路）２０と接続されている。ヘッドＩＣ２０は、ヘッド１２により読み出されたリード信号を増幅するリードアンプ、及びライトデータをライト電流に変換するライトアンプ（いずれも図示せず）を有する信号処理回路である。ヘッドＩＣ２０は、リード／ライトＩＣ（リード／ライトチャネル）２１と接続されている。リード／ライトＩＣ２１は、ヘッドＩＣ２０により増幅されたリード信号に対するＡ／Ｄ（アナログ／ディジタル）変換処理、ライトデータの符号化処理、リードデータの復号化処理、Ａ／Ｄ変換後のデータからサーボ情報を抽出するサーボ検出（サーボデコード）処理等の各種の信号処理を実行する信号処理回路である。なお、ヘッドＩＣ２０がＦＰＣ上に実装される構成であっても構わない。この場合には、ヘッドＩＣ２０とリード／ライトＩＣ２１とがＦＰＣを介して接続されることになる。
【００１７】
リード／ライトＩＣ２１は、ディスクコントローラ（以下、ＨＤＣと称する）２２及びＣＰＵ２３と接続されている。ＨＤＣ２２は、ＣＰＵ２３及び無線用アンテナ２４と接続されている。ホストコンピュータ２００は図１のＨＤＤ１００を利用するパーソナルコンピュータ等のデジタル機器である。ＨＤＣ２２は、ホストコンピュータ２００との間のコマンド（ライトコマンド、リードコマンド等）及びデータの通信と、リード／ライトＩＣ２１を介して行われるディスク１１との間のデータ転送の制御等を司る。
【００１８】
無線用アンテナ２４は、送受信可能となっておりホストコンピュータ２００とデータ通信を無線で行う。またホストコンピュータ２００にも送受信可能な無線用アンテナ２０１が備えられている。
【００１９】
ＣＰＵ２３は、ＦＲＯＭ（Ｆｌａｓｈ  Ｒｅａｄ  Ｏｎｌｙ  Ｍｅｍｏｒｙ）２３１とＲＡＭ（Ｒａｎｄｏｍ  Ａｃｃｅｓｓ  Ｍｅｍｏｒｙ）２３２とＡ／Ｄ（アナログ／デジタル）コンバータ（以下、ＡＤＣと称する）２３３とを含む。ＦＲＯＭ２３１は、ＣＰＵ２３により実行される制御プログラムが予め格納された書き換え可能な不揮発性メモリである。この制御プログラムは、ディスク１１上に位置しているヘッド１２をアンロードするためのアンロード制御ルーチンを含む。また、ＦＲＯＭ２３１には、ＨＤＤの環境温度毎の目標速度とアンロード開始時にＣＰＵ２３によりＶＣＭドライバ１８２に設定される初期ＶＣＭ電流値（初期出力パラメータ値）とが設定されたテーブル（図示せず）が予め格納されている。このテーブルは各ＨＤＤに固有なものとすることが好ましいが、各ＨＤＤに共通なものであっても構わない。各ＨＤＤに共通なテーブルを用いる場合、ＦＲＯＭ２３１に代えてＲＯＭを用いることも可能である。ＲＡＭ２３２の記憶領域の一部は、ＣＰＵ２３のワーク領域として用いられる。
【００２０】
なお、ＨＤＤ１００はホストコンピュータ２００から十分な電源供給を受けるための電源ピン２５を有しており、ＨＤＤ１００の各回路に電力を供給する。
次に、ホストコンピュータと接続されるＨＤＤの概念図を図２に示す。
例えば、パーソナルコンピュータ等の電子機器でデータを記憶するためには磁気ディスク装置等の記録媒体が必要不可欠となる。ホストコンピュータと磁気ディスクの間には、磁気ディスク装置に電力を供給するためのインターフェースとデータをやり取りするためのインターフェースが必要となる。ここで本発明ではホストコンピュータと磁気ディスク装置の間でデータのやり取りを行うための無線を用いた磁気ディスク装置を提案する。なお、本発明を分かり易く説明するために図２（ａ）には従来例を示し、図２（ｂ）は本発明のＨＤＤ１００を示している。
【００２１】
まず、図２（ａ）では、ＨＤＤとホストコンピュータとの接続に用いられるピンは、電源ピン及び複数のデータピンにより形成されている。磁気ディスク装置の動作はホストコンピュータ側より供給される電力で動作しており、ホストコンピュータとのデータのやり取りには複数のデータ信号ピンを有する。
【００２２】
これに対し、本発明は図２（ｂ）に示されるように、ＨＤＤ１００はデータを記録するための記録媒体としてホストに接続されている。ＨＤＤ１００を駆動させるための電力はホストコンピュータより物理的なコネクタを介して行われるため、電源供給のための電源ピン２５（グランドピンも含む）を有している。この電源ピンは少なくとも１本以上のピンで物理的な接続がなされている。このためＨＤＤ１００への電源の供給はホストコンピュータ側より安定して、最小限の電力損失で行われる。
【００２３】
また、データの転送に関しては、無線用アンテナ２４で例えばＢｌｕｅｔｏｏｔｈやＩｒＤＡ、ＩｒＢＵＳ、ＳＷＡＰといった無線通信が用いられる。データ転送部に無線通信を用いる事により、従来コネクタピンの大部分を有していたデータピンの削減を図る事ができ、コネクタ部分の小型化につながる。なお、図１にも示したが、無線用アンテナ２４から送信されたデータはホストコンピュータにある無線用アンテナ２０１で受信される。
【００２４】
次に、無線用アンテナ２４の配置場所について図３を用いて説明する。
図３は、ＨＤＤ１００の概念的な断面図を示す。なお、同一個所には同一符号を示してある。ＨＤＤ１００はディスク１１を回転させるためのＳＰＭ１３によってスペースの大半が占められている。このような状況で、無線用アンテナ２４を配置する際、ＳＰＭ１３と対向するカバー１８の位置、さらにはディスク１１の記録面と対向するカバー１８の位置に配置される。図３には、無線用アンテナ２４が２箇所示されているが、どちらか一方に配置されてもよい。
【００２５】
このような位置に配置されることで、もともとディスク１１の記録面上にあったスペースを有効利用することができ、他回路の再配置等の面倒な作業をすることなく無線用アンテナ２４を配置することができる。
【００２６】
なお、本発明は、上記実施形態に限定されるものではなく、実施段階では、その要旨を逸脱しない範囲で種々に変形することが可能である。
【００２７】
【発明の効果】
以上のように、磁気ディスク装置とホストコンピュータとのインターフェースに用いるデータ通信部に無線を用いることにより、データ通信用のコネクタ部を排除し装置の小型化を図ることができる。
【００２８】
また、磁気ディスク装置とホストコンピュータの物理的な接合部分は電源供給部分のみとなり、磁気ディスク装置動作はホストコンピュータより供給される電力によって安定して行なわれる。したがって、コネクタ簡略化につながり、磁気ディスク装置のよりいっそうの小型化を図ることができる。
【００２９】
さらに、無線用アンテナを配置する際、予めあるスペースを有効利用することで他回路の配置換え等の作業を行なうことなく設置することができる。
【図面の簡単な説明】
【図１】本発明に係る一実施形態の無線通信による磁気ディスク装置のブロック図である。
【図２】ホストコンピュータと接続されるＨＤＤの概念図である。
【図３】ＨＤＤ１００の概念的な断面図である。
【符号の説明】
１１    ディスク
１２    ヘッド
１３    スピンドルモータ
２０    ヘッドＩＣ
２１    リード／ライトＩＣ
２２    ＨＤＣ
２３    ＣＰＵ
２４、２０１    無線用アンテナ
２５    電源ピン
１００    ＨＤＤ
【図１】
2005011458.tif 000003
【図２】
2005011458.tif 000004
【図３】
2005011458.tif 000005